(57)【要約】【課題】  従来の携帯端末は個人用としてのセキュリティ設定を可能としているが、オン、オフの切り換えしかなく複数人で使用時には各個人データ（電話帳、メール、画像等）を他人に見られる恐れがあるなどのセキュリティ設定機能に懸念がある。【解決手段】  本発明は、端末にユーザの設定データ（カメラ、画面、音、電話番号、メールアドレス等）や、個別データ（電話帳、メール、画像等）と共にユーザの登録を可能とし、予め端末に登録されているユーザ内でユーザ切り替え設定を行うことにより、各ユーザの作成した個別データ（電話帳、メール、画像等）、設定データ（カメラ、画面、音、電話番号、メールアドレス等）の切り替えを自動で行うことで、セキュリティを高めると共に利便性を向上させる。またユーザ別に着信通知を可能とすること１台の端末で複数人が個人情報内で使用できる。【選択図】    図１
2005252610.tif 000002
【特許請求の範囲】
【請求項１】
表示部と、
各種データが記憶される第１記憶部および前記各種データの一部が格納される第２記憶部を含み、複数のユーザ毎のユーザ情報が記憶される記憶部と、
前記ユーザ情報の設定を行うユーザ管理手段と、
登録された前記ユーザ情報に対して個別に前記各種データを対応づけるユーザ設定手段と、
前記ユーザ情報のうち選択された一のユーザ情報を管理し、前記第１記憶部に保持される前記各種データのうち前記選択された一のユーザ情報に対応づけられた前記各種データを前記第２記憶部に展開し使用可能とするユーザ切り換え手段とを具備することを特徴とする携帯端末。
【請求項２】
表示部と、
無線通信手段と、
各種データが記憶される第１記憶部および前記各種データの一部が格納される第２記憶部を含み、複数のユーザ毎のユーザ情報が記憶される記憶部と、
複数の電話番号および／またはメールアドレスの管理および制御を行う個別通信制御手段と、
前記ユーザ情報の設定を行うユーザ管理手段と、
登録された前記ユーザ情報に対して個別に前記各種データを対応づけるユーザ設定手段と、
前記ユーザ情報のうち選択された一のユーザ情報を管理し、前記第１記憶部に保持される前記各種データのうち前記選択された一のユーザ情報に対応づけられた前記各種データを前記第２記憶部に展開し使用可能とするユーザ切り換え手段とを具備することを特徴とする携帯端末。
【請求項３】
前記ユーザ切り換え手段は、前記一のユーザ情報を選択中に前記個別通信制御手段により他のユーザに対する着信を受けると、前記第１記憶部に格納される他のユーザ情報に対応した前記各種データ基づき着信通知を行うことを特徴とする請求項２に記載の携帯端末。
【請求項４】
前記ユーザ切り換え手段は、使用を許可するユーザの認証を行う認証手段を有し、前記他のユーザ情報に基づく着信通知を行う場合に、前記認証手段により前記他のユーザの認証を行い通話可能とすることを特徴とする請求項３に記載の携帯端末。
【請求項５】
前記ユーザ切り換え手段は、使用を許可するユーザの認証を行う認証手段を有し、該認証手段により認証された場合に、前記選択された一のユーザ情報に基づく前記各種データを前記第２記憶部に展開することを特徴とする請求項１または請求項２に記載の携帯端末。
【請求項６】
前記ユーザ設定手段は前記各種データに前記ユーザ情報の一部を付与することを特徴とする請求項１または請求項２に記載の携帯端末。
【請求項７】
前記各種データは画像データ、文字データ、音楽データのいずれかを含む個別データであることを特徴とする請求項１または請求項２に記載の携帯端末。
【請求項８】
前記各種データは、ユーザが各種アプリケーションに対して設定した設定データであることを特徴とする請求項１または請求項２に記載の携帯端末。
【発明の詳細な説明】
【技術分野】
【０００１】
本発明は、携帯端末に関し、1つの携帯端末を複数人で使用する際にユーザの切り替えを行うことにより、容易に個人情報を守ることを可能とする携帯端末に関するものである。
【背景技術】
【０００２】
近年、携帯端末には多くの個人情報を登録することが可能となっている。データにはセキュリティ登録をすることにより他人に閲覧させない事も可能であり、セキュリティ登録されているデータを閲覧する際には本人であることを証明する暗証番号を入力することにより閲覧が可能となる（例えば特許文献１参照。）。また、１つの端末で複数の電話回線を持つことを可能とする携帯電話機が提案されている（例えば特許文献２参照。）。
【特許文献１】特開平１０−２２９５８３号公報
【特許文献２】特開平１０−１３５０５号公報
【発明の開示】
【発明が解決しようとする課題】
【０００３】
従来の携帯端末は暗証番号を入力することにより、個人用としてのセキュリティ設定を可能としている。しかし登録できる暗証番号は１つの携帯端末に対して１つであり、セキュリティ設定がオンであっても１つの暗証番号が認証されればすべてのデータが閲覧可能となっている。
【０００４】
つまりセキュリティの設定としてはオン（閲覧または操作可能）かオフ（閲覧または操作不可）の２つの状態しかなく、例えば複数人で同一の携帯端末を使用するような場合には、各個人データ（電話帳、メール、画像等）を他人に見られる恐れがあるなど、セキュリティ設定機能として十分ではない。
【０００５】
また、特に1つの端末で複数の電話回線を持つことを可能とする携帯電話機においては、通話履歴や個人データの個別管理は必須であり、この場合のセキュリティ機能の強化、およびユーザ毎に使用するデータを切り換える際の操作性、利便性の向上が望まれている。
【課題を解決するための手段】
【０００６】
本発明は係る課題に鑑みてなされ、第１に、表示部と、各種データが記憶される第１記憶部および前記各種データの一部が格納される第２記憶部を含み、複数のユーザ毎のユーザ情報が記憶される記憶部と、前記ユーザ情報の設定を行うユーザ管理手段と、登録された前記ユーザ情報に対して個別に前記各種データを対応づけるユーザ設定手段と、前記ユーザ情報のうち選択された一のユーザ情報を管理し、前記第１記憶部に保持される前記各種データのうち前記選択された一のユーザ情報に対応づけられた前記各種データを前記第２記憶部に展開し使用可能とするユーザ切り換え手段とを具備することにより解決するものである。
【０００７】
第２に、表示部と、無線通信手段と、各種データが記憶される第１記憶部および前記各種データの一部が格納される第２記憶部を含み、複数のユーザ毎のユーザ情報が記憶される記憶部と、複数の電話番号および／またはメールアドレスの管理および制御を行う個別通信制御手段と、前記ユーザ情報の設定を行うユーザ管理手段と、登録された前記ユーザ情報に対して個別に前記各種データを対応づけるユーザ設定手段と、前記ユーザ情報のうち選択された一のユーザ情報を管理し、前記第１記憶部に保持される前記各種データのうち前記選択された一のユーザ情報に対応づけられた前記各種データを前記第２記憶部に展開し使用可能とするユーザ切り換え手段とを具備することにより解決するものである。
【０００８】
また、前記ユーザ切り換え手段は、前記一のユーザ情報を選択中に前記個別通信制御手段により他のユーザに対する着信を受けると、前記第１記憶部に格納される他のユーザ情報に対応した前記各種データ基づき着信通知を行うことを特徴とするものである。
【０００９】
また、前記ユーザ切り換え手段は、使用を許可するユーザの認証を行う認証手段を有し、前記他のユーザ情報に基づく着信通知を行う場合に、前記認証手段により前記他のユーザの認証を行い通話可能とすることを特徴とするものである。
【００１０】
また、前記ユーザ切り換え手段は、使用を許可するユーザの認証を行う認証手段を有し、該認証手段により認証された場合に、前記選択された一のユーザ情報に基づく前記各種データを前記第２記憶部に展開することを特徴とするものである。
【００１１】
また、前記ユーザ設定手段は前記各種データに前記ユーザ情報の一部を付与することを特徴とするものである。
【００１２】
また、前記各種データは画像データ、文字データ、音楽データのいずれかを含む個別データであることを特徴とするものである。
【００１３】
また、前記各種データは、ユーザが各種アプリケーションに対して設定した設定データであることを特徴とするものである。
【発明の効果】
【００１４】
本発明によれば、第１に、複数のユーザ登録ができ、且つ登録したユーザ毎に各種データを対応づけることができる。また登録したユーザの切り換えを可能とし、選択された一のユーザの各種データを展開し使用可能とする。これにより同じ携帯端末を複数人で使用する場合において、ユーザ毎に使用できる各種データが展開されるため、ユーザの利便性向上と共にユーザ毎のデータの使用が可能となる。
【００１５】
第２に、複数の電話回線やメールアドレスが１つの携帯端末に登録されている場合は、ユーザごとに電話番号やメールアドレスを設定することにより携帯端末は１つであるが完全に個人用として複数人で使用することが可能となる。
【００１６】
このような場合は、特にユーザ毎に使用できる各種データが展開されるため、特にユーザの各種データのセキュリティ強化に効果的である。また、自動で設定データを有効にできるので、ユーザは使用する際に設定し直す必要が無くなりユーザの利便性が向上する。
第３に、一のユーザの選択中に他のユーザに着信があった場合には、他のユーザに対応したデータに基づく着信通知を行うことで、どのユーザへの着信かを知ることができる。
【００１７】
第４に、他のユーザに着信があった場合には、認証手段により認証されたユーザについて通話可能とすることで、着信時のセキュリティも向上する。
【００１８】
第５に、ユーザ切り換え手段はユーザ切り換え時にユーザの認証を行うので、設定データや個別データについて、許可されたユーザ以外の他人の使用を禁止でき、個人データのセキュリティが向上する。
【００１９】
第６に、選択ユーザが使用できる各種データは、ユーザ設定手段によりユーザ情報の一部を付与して管理するので、各種データを、同じユーザ情報の一部をキーとして一括で管理することができる。
【００２０】
第７に、各種データは、画像、文字、音楽などの個別データであるので、ユーザが作成または保持する全てのデータについてユーザ毎の対応付けをすることができる。  
【００２１】
第８に、各種データは各種アプリケーションに対して設定した設定データであり、このデータについてユーザ毎に対応付けが行えるので、ユーザ切り換え時に一括で設定データを展開、有効にすることができる。
【発明を実施するための最良の形態】
【００２２】
以下、図面を用いて本発明の実施の形態について説明する。
【００２３】
以下に、本発明における実施の形態について、携帯電話機を例に図１〜図８を参照にして詳細に説明する。本発明は、任意の携帯電話機に適用できるが、以下では、好適な実施の形態として、折り畳み可能な携帯電話機１について説明する。尚、この形態に限定されるものではなく、例えば、折畳み可能な携帯電話機であって一方の筐体が他方の筐体に対して回転および折畳み自在に支持されるものや、ストレート式の携帯電話機であっても良い。
【００２４】
先ず、図１は、本実施の形態である携帯電話機の（Ａ）開いた状態での内側（キー面）から見た概観図、（Ｂ）閉じた状態での外側（背面）から見た概観図であり、図２は同携帯電話機の電気的構成を説明する概略機能ブロック図である。尚、図１の概観図では、カメラ機能を有する形態が示されているが、特に、カメラ機能の有無に関し限定する必要はなく、図２では、カメラ部の説明を省略する。
【００２５】
図１（Ａ）及び（Ｂ）に示す如く、例えば、スピーカー２は携帯電話機１の蓋部内側の上方中央に、マイク３は本体部内側の下方中央にそれぞれ配置されている。また、キー操作部７は、例えば撮影を行うためのシャッターキー、カメラ機能を起動させるカメラキー、電源投入するための電源キー、メール機能を起動させるメールキー、十字キーなどからなる機能キー７ａと、数字入力及び文字入力を行う入力キー７ｂ等から構成されている。
【００２６】
そして、主表示部８は、スピーカー２が配置されている蓋部内側に四角形状で配置されており、副表示部４は蓋部外側の中央付近に配置されている。更に、撮像部５は、例えば蓋部外側のヒンジ近くの中央付近に配置され、閉じた状態でも副表示部４で被写体を確認しながら撮影ができる。また、背面キー６は例えば副表示部４の下方に配され、閉じた状態でシャッターキーとして使用され、使用者が自らを撮影するのに適している。一方、開いた状態で撮影する場合は、主表示部８あるいは副表示部４で被写体を確認しながら、キー操作部７のシャッターキーを押下することで撮影することができる。
【００２７】
また、例えば上下筐体を接続するヒンジ部または副表示部４近傍にはＬＥＤ１０が配置され、着信時には予め設定された発光色や、発光パターンにより着信を通知することができる。
【００２８】
アンテナ９は無線電波を介して基地局と無線通信を行うときに、音声データ、文字データおよび画像データなどを送受信する。
【００２９】
図２の如く、本実施形態の携帯電話機１は、キー操作部７、主表示部８、副表示部４、スピーカ２、ＬＥＤ１０、制御部２１、記憶部２６、無線部２９、表示ドライバ３１、音声制御部３２、バイブレータ３３等から構成される。尚、上述したように、本実施の形態では、カメラ機能を構成する撮像部、画像処理部及びそれに伴う画像圧縮処理部、画像伸張処理部等および副表示部４の説明は省略する。
【００３０】
制御部２１は、携帯電話機１を構成する各部位の動作を制御し、例えば、記憶部２６表示ドライバ３１、無線部２９、音声制御部３２、バイブレータ３３、ＬＥＤ１０等を制御する。
【００３１】
記憶部２６は、読み出し及び書き込み可能なＲＡＭ（Ｒａｎｄａｍ  Ａｃｃｅｓｓ  Ｍｅｍｏｒｙ）であり、携帯電話機１の使用状況に応じたデータがそれぞれ格納される第１記憶部２７および第２記憶部２８が含まれ、これらについては後述する。
【００３２】
記憶部２６には、例えば、電話帳機能、スケジュール機能を実現するアプリケーションプログラムが保持されるほか、各種データが保存されている。各種データとは画像データ、文字列データ、音声データ等の個別データをいい、具体的には電話帳データ、メール、画像等である。また画像は、動画、静止画のいずれでもよい。これらは予め不図示のＲＯＭ（Ｒｅａｄ  Ｏｎｌｙ  Ｍｅｍｏｒｙ）に、出荷時に予め設定されているデータでもよいし、無線部を介して受信したデータであってもよい。
【００３３】
また、各種データには、ユーザが設定する設定データも含む。ここで設定データとは、カメラを機能させる場合の諸設定（画質、撮影サイズなど）、画面設定、音設定、あるいは個別通信手段３０を有する場合には電話番号、メールアドレス等、ユーザがアプリケーションプログラムを実行させる際に各機能に応じて任意で設定できるデータをいう。
【００３４】
ＬＥＤ１０、バイブレータ３３は主に着信通知に利用される。無線部２９を介して着信があった場合に制御部２１は、ユーザ毎の設定データに基づき着信音のオンオフ、ＬＥＤ１０の発光、バイブレータ３３のオンオフを制御して、着信を通知する。
【００３５】
表示ドライバ３１は、主表示部８に表示しようとする文字データ、画像データに従って、主表示部８の各画素電極に対して駆動電圧を印加する。主表示部８は、液晶ディスプレイおよびＥＬ（Ｅｌｅｃｔｒｏ  Ｌｕｍｉｎｅｓｃｅｎｓｅ）ディスプレイなどで実現され、表示ドライバ部１３を介して送られてくる画像データに基づく画像を表示する。
【００３６】
キー操作部７は、上述したように、機能キー７ａ、入力キー７ｂ等から構成される。
【００３７】
無線部２９は、不図示の通信制御部を有し、携帯電話機１の無線通信を可能とする。無線部２９は、所定の通信プロトコルに基づいて、受信時は、基地局からアンテナ９を介して受信したデータを復調し、送信時は、通信制御部から送られてくる文字データおよび画像データなどを変調して増幅し、アンテナ９を介して基地局に送信する。
【００３８】
また、１つの携帯電話機で複数の電話番号および／またはメールアドレスの登録を可能とする場合には、複数の電話番号および／またはメールアドレスの管理およびこれらの個別の通信制御を行う個別通信制御手段３０を有する。
【００３９】
さらに、本実施形態の制御部２１は、ユーザ管理手段２２と、ユーザ設定手段２３と、ユーザ切り換え手段２４とを有する。ユーザ管理手段２２は、複数のユーザ情報の登録・削除等の管理を行う。
【００４０】
ユーザ設定手段２３は、各種データに、使用可否情報となるユーザ情報の一部を付与すし、登録されたユーザ情報に対して個別に各種データを対応づける。
【００４１】
ユーザ切り換え手段２４は、登録された複数のユーザ情報のうち、ユーザ操作により選択された一つのユーザ情報を、選択ユーザデータとして管理する。また、第１記憶部２７に保持される各種データのうち選択された一つのユーザ情報（選択ユーザデータ）に対応づけられた各種データを第２記憶部２８に展開する。
【００４２】
また、ユーザ切り換え手段２４は、使用を許可するユーザの認証を行う認証手段２５を有し、制御部２１からユーザ切り換えの支持を受けると、認証手段２５によりユーザ認証を行い、許可の場合に、選択された一のユーザ情報に基づく各種データを第２記憶部２８に展開する。
【００４３】
更に、個別通信制御手段３０を有する場合において、一のユーザ情報を選択中に他のユーザ情報に基づく着信があった際には、ユーザ切り換え手段２４は、第１記憶部２７に格納される他のユーザ情報に対応した各種データ基づき着信通知を行う。そして、認証手段２５により他のユーザの認証が許可された場合のみ、他のユーザの通話を可能とする。
【００４４】
図３は記憶部２６の格納領域の一例を示す概要図であり、図４には各種データの構成の概要図を示す。
【００４５】
第１記憶部２７には、各種データのうち、ユーザ管理手段２２により選択された１つのユーザ情報以外の、すなわち現在選択中でないユーザ情報に基づく各種データ（以下非展開データと称する）が格納される。
【００４６】
第２記憶部２８は、ユーザ管理手段２２により選択された１つのユーザ情報に基づく各種データ、すなわち電話帳データ、画像データ、メール等の個別データおよび、ユーザが各種機能に対応して任意で設定した設定データが展開、保持される。後述するが、本実施形態ではユーザの切り換えに応じて、当該ユーザが使用許可される各種データのみが第１記憶部２７から第２記憶部２８に展開されるので、当該ユーザは第２記憶部２８の展開データ以外のデータ（非展開データ）を使用することはできないとする。
【００４７】
さらに、記憶部２６には、選択ユーザデータ３５、登録された全てのユーザ情報の管理を行うユーザ管理テーブル３４も格納される。
【００４８】
選択ユーザデータ３５は、ユーザにより選択された（現在選択中の）１つのユーザ情報である。本実施形態ではユーザ管理番号を選択ユーザデータとし、例えば現在選択中のユーザ名ＡＡＡの場合には、選択ユーザデータ３５にユーザ管理番号の「１」を設定するものとする。
【００４９】
ユーザ管理テーブル３４は、例えば図４（Ａ）のごとき構造であり、ユーザ管理手段２２により作成される。ユーザ管理テーブル３４はユーザ管理番号フィールド３４１、ユーザ名フィールド３４２、暗証番号フィールド３４３からなる。ユーザ管理手段２２は、ユーザのキー操作によりユーザ名と暗証番号の入力を受け付け、それらを順次ユーザ名フィールド３４２、暗証番号フィールド３４２に格納すると共に、ユーザ管理番号フィールド３４１のユーザ管理番号と対応づけてユーザ情報として記憶部２６に格納する。
【００５０】
また、携帯電話機１を使用する全てのユーザに使用を許可する共有の設定を可能としても良い。例えば、ユーザ登録がされていない初期状態において、ユーザ管理テーブルのユーザ管理番号「０」を共有データに割り当てて認証不要のため暗証番号はブランクとするなどし、その後順次追加されたユーザ情報をユーザ管理テーブル３４に登録する。
【００５１】
個別データ４０は図４（Ｂ）のごとくヘッダー部４０１と、データ部４０２からなり、ユーザ設定手段２３が、ユーザ毎に使用を許可する個別データのヘッダー部４０１の一部にユーザ管理番号３４１を付与することにより、個人用／共有用の設定を行う。例えばユーザ名ＡＡＡの使用を許可するデータであればヘッダー部４０１にユーザ管理番号「１」を付与する。これによってこのデータはユーザ名ＡＡＡの使用のみが許可される。このようにして各ユーザと、そのユーザの使用を許可する個別データを対応づけることができる。また、共有用のデータにする場合には、ヘッダー部４０１に共有用のユーザ管理番号「０」が付与され、すべての登録ユーザの使用を許可する。
【００５２】
個別データ４０は、例えば電話帳データ、メール、画像等であり、一般的にはユーザが作成、または無線部を介して受信し記憶部２６に保存するデータである。このような個別データに対するユーザ管理番号の付与は、例えばデータの保存確認画面や、プロパティ表示画面等で行う。ユーザ設定手段２３は、これらの画面を表示して、当該データについて共有用か個人用かをユーザに選択させ、共有であればユーザ管理番号「０」を当該データのヘッダー部４０１に付与し、個人用であれば操作しているユーザのユーザ管理番号（例えば「１」）をヘッダー部４０１に付与する。
【００５３】
なお、後述するがユーザは携帯電話機１を使用する際に、ユーザ切り換え手段２４により認証された上で操作しているので、選択ユーザデータ３５にはそのユーザに対応するユーザ管理番号が設定されている。すなわち、データを個人用として設定する場合には選択ユーザデータ３５を取得し、個別データ４０のヘッダー部４０１に付与すれば、使用を許可するユーザの個人用データとして設定することができる。
【００５４】
また、共有用／個人用の選択時に初期値を、「個人用」とする設定を設けることで利便性を上げることもできる。
【００５５】
また、設定データは図４（Ｃ）の如き構造をしており、ユーザ設定手段２３は、設定データ４１に対しても使用を許可するユーザ管理番号３４１を付与する。設定データ４１はヘッダー部４１１とデータ部４１２からなり、データ部４１２には、カメラ設定、画面設定、音設定、メール設定等、ユーザ毎の任意の設定値が一括して保持される。また個別通信制御手段３０を有する場合にはユーザ毎の電話番号、メールアドレス等も保持される。そして、ユーザ設定手段はこのデータのヘッダー部４１１に、例えばユーザ管理番号「１」を格納し、これらの設定データを一括してユーザ名ＡＡＡに対応づける。
【００５６】
尚、共有用の設定データは、出荷時の初期状態等でよいが、変更も可能とする。
【００５７】
また、図示は省略するが、ユーザ設定手段２３はフォルダについてもユーザの設定（共有用／個人用）を可能としても良い。この場合上記と同様にフォルダのヘッダー部にユーザ管理番号を付与することで、フォルダ単位でユーザの使用を許可し、メールの自動振分けや、カメラ画像を保存する際に一括で管理することが可能となる。
【００５８】
上記のデータを用いて、ユーザ切り換え手段２４は、ユーザ毎に使用を許可するデータの切り換えを行う。
【００５９】
すなわち、ユーザ切り換え手段２４は、制御部２１からユーザ切り換えの支持（例えばユーザ名ＡＡＡ）を受けると、認証手段２５により認証処理を行う。認証手段２５は、ユーザ管理テーブル（図４（Ａ））に基づいてユーザと暗証番号との認証を行う。認証された場合にユーザ切り換え手段２４は、選択ユーザデータ３５をユーザ管理番号の「１」とし、第１記憶部２７の個別データ４０のヘッダー部４０１にユーザ管理番号「１」が設定されているデータ（図４（Ｂ））を検索する。そして、一致したものをすべてを第２記憶部２８に展開し、それ以外のデータの使用を禁止する。ここで、共有の設定を可能とする場合には共有（ユーザ管理番号「０」）のデータも第２記憶部２８に展開する。
【００６０】
また、選択ユーザデータが「０」（共有）の場合には、ユーザ管理番号「０」のデータのみを第２記憶部２８に展開し、それ以外のデータの使用を禁止する。
【００６１】
またユーザ切り換え手段２４は、設定データ４１（図４（Ｃ））についてもヘッダー部４１１のユーザ管理番号が一致するデータを第２記憶部に展開する。これにより、認証されたユーザは、自動的にユーザ毎の各種機能の設定データが有効となるので、複数ユーザが使用する場合でも、使用毎に設定を変更する必要がなくなる。
【００６２】
このように、本実施形態によれば、１つの携帯端末に対して複数のユーザ登録およびユーザの切り換えができ、且つユーザ毎に設定データおよび個別データについての使用可否情報を設定できる。この場合、ユーザ管理番号を個別データ、設定データに付与して管理するので、ユーザ毎の各種データの管理を一括して行うことができる。
【００６３】
また、ユーザ切り換え手段はユーザ切り換え時にユーザの認証を行うので、設定データや個別データについて、許可されたユーザ以外の他人の使用を禁止でき、個人データのセキュリティが向上する。
【００６４】
例えば同じ携帯端末を複数人で使用する場合において、選択された１のユーザが使用可能な設定データ（カメラ、画像表示サイズ等）や個別データ（電話帳、メール、画像等）のみをユーザ切り換え手段により自動で展開、使用できるので、ユーザの利便性向上と共に個人データのセキュリティが向上する。
【００６５】
また、複数の電話回線やメールアドレスを１つの携帯端末で制御可能な場合は、携帯端末は１つであるが完全に個人用として複数人で使用することが可能である。
【００６６】
このような場合は、特にユーザ毎に設定した電話番号、メールアドレスに対応した設定データや個別データを、ユーザ切り換え手段により自動で展開し、選択したユーザのみの使用を可能にするので、特に個人データのセキュリティ強化に効果的である。また、自動で設定データを有効にできるので、ユーザは使用する際に設定し直す必要が無くなりユーザの利便性が向上するものである。
【００６７】
図５は、ユーザ登録を行い、ユーザ管理テーブル３４を作成する処理の一例を示すフロー図である。
【００６８】
本実施形態では前述の如くユーザ登録初期状態では、ユーザ管理テーブル３４のユーザ管理番号「０」を共有に割り当てるとする。ユーザを追加登録する場合には、メニューからユーザ登録を起動する（ステップＳ１）。ユーザ管理手段２２は、主表示部８にユーザ情報入力画面を表示する。ユーザ情報は、ユーザ名、暗証番号等である。ユーザがキー操作部７よりユーザ名を入力すると（ステップＳ２）、次にユーザ管理手段２２は、ユーザ名に対応する暗証番号の入力を促す。暗証番号が入力されると（ステップＳ３）、ユーザ管理手段２２は記憶部２６のユーザ管理テーブル３４のユーザ名フィールド３４２および暗証番号フィールド３４３にユーザ名と暗証番号を登録する。これらのデータはユーザ管理番号フィールド３４１のユーザ管理番号で対応づけられる（ステップＳ４）。これを順次繰り返してユーザを追加し、ユーザ管理テーブル３４を作成する（図４（Ａ））。
【００６９】
次に、図６のフロー図を参照して各種データに対して使用を許可するユーザの設定を行うユーザ設定処理フローの一例を、個別データ４０の場合を例に説明する。
【００７０】
ユーザ設定手段２３は、個別データ４０（電話帳、メール、画像等）がユーザにより作成され、また無線部を介して受信されるなどして記憶部２６（第２記憶部２８）に保存される際に、そのデータを共有用とするか個人用とするかの設定を行う。あるいは、ユーザが第２記憶部２８に保存されているデータを呼び出した場合、プロパティ表示画面等で個人用／共有用の設定（変更）を行うことを可能とする。
【００７１】
例えば保存時には初期値で共有用（ユーザ管理番号「０」）の設定とし、共有用であればどのユーザであっても使用可能となり第２記憶部２８に展開されるので、このデータのプロパティ表示画面等からこのデータに個人用に設定を変更するなどとしてもよい。
【００７２】
また、ユーザ操作はユーザ切り換え手段２４により認証されたことが前提となっているため、保存時に選択ユーザデータ３５を取得して、そのユーザ管理番号を付与することにより初期値で個人用に設定しても良い。いずれの場合も、プロパティ表示画面等により、当該データの共有用／個人用の切り換えを行えるものとする。
【００７３】
すなわち、個別データ４０の保存画面表示あるいはプロパティ画面表示などにより、ユーザ設定（個人用／共有用）を設定する１つの個別データ４０が選択されると（ステップＳ１１）、ユーザ設定手段は、当該データに対してユーザ設定画面を表示し、ユーザに個人用／共有用の設定を行わせる（ステップＳ１２）。ユーザ設定手段２３は、「共有用」に設定された場合は個別データ４０のヘッダー部４０１にユーザ管理番号「０」を付与する。このデータは他のユーザの使用も可能となる（ステップＳ１３）。ステップＳ２にて「個人用」が設定された場合、ユーザ設定手段２３は、選択ユーザデータ３５を取得し、現在選択中のユーザ管理番号を個別データ４０のヘッダー部４０１に付与する。このデータについては他のユーザの使用は不可能となる（ステップＳ１４）。
【００７４】
設定データ４１についてのユーザ設定処理フローについては、図示は省略するが、一例として以下の手順で行う。
【００７５】
設定データ４１は各機能のメニューより設定が可能であり、認証されたユーザの操作に基づいて、ユーザ設定手段２３が図４（Ｃ）に示す設定データ４１を作成する。この場合は、例えば個人用を初期状態とし、各設定データの作成時に操作しているユーザ（選択ユーザ）のユーザ管理番号３４１を取得し、当該ユーザのユーザ管理番号３４１をヘッダー部４１１に付与する。
【００７６】
図７は、ユーザ切り換え処理の一例を示すフロー図である。
メニューよりユーザ切り換えを選択すると、ユーザ切り換え手段２４は、主表示部８に共有か個人の選択欄を表示し、ユーザに選択させる（ステップＳ２１）。「共有」が選択された場合はユーザ管理番号の「０」を、選択ユーザデータ３５として設定する（ステップＳ２２）。
【００７７】
ユーザ切り換え手段２４は、第１記憶部２７に格納されている、個別データ４０および設定データ４１のヘッダー部４０１、４１１に、ユーザ管理番号「０」が付与されているデータを検索し、第２記憶部２８に展開する（ステップＳ２３）。これにより、ユーザは、共有用に設定されたデータのみの使用が可能となる。
【００７８】
ステップＳ２１において、「個人」が選択された場合は、ユーザ切り換え手段２４は主表示部８に、記憶部２６のユーザ管理テーブル３４に登録してあるユーザ名一覧を表示し、ユーザにユーザ名を選択させる（ステップＳ２４）。そして認証手段２５は、主表示部８に認証画面を表示するなどし、ユーザに登録時の暗証番号の入力を促す（ステップＳ２５）。認証手段２５は、入力されたユーザ名（例えばＡＡＡ）および暗証番号（例えば１１１１）と、ユーザ管理テーブル３４とのマッチングを行い、認証処理を行う（ステップＳ２６）。認証された場合には、ユーザ切り換え手段２４は、当該ユーザ名に該当するユーザ管理番号（この場合「１」）を、選択ユーザデータ３５として設定する。これにより、現在選択中（操作中）のユーザの認識が可能となる（ステップＳ２７）。
【００７９】
ユーザ切り換え手段２４はさらに、第１記憶部２７に格納されている、個別データ４０のヘッダー部４０１に、ユーザ管理番号「１」（および共有用の「０」）が付与されているデータを検索し、第２記憶部２８に展開する。これにより、認証されたユーザは、個人用（および共有用）に設定したデータのみの使用が可能となる。
【００８０】
また、第１記憶部２７の設定データ４１のうち、ヘッダー部４１１にユーザ管理番号「１」が付与されているデータを第２記憶部２８に展開し、各設定を行う（ステップＳ２８）。これにより自動的に認証されたユーザが設定した値が有効となる。
【００８１】
ステップＳ２６においてマッチングしない場合は、ユーザ切り換えを行わず、処理を終了する（ステップＳ２９）。
【００８２】
なお、第１記憶部２７には、第２記憶部２８に展開するデータの元データは残っているとする。この場合、前述の如く、ユーザ設定の変更等が行われる場合や、各種データの追加・変更・削除が行われる場合があるので、ユーザ切り換え手段２４はユーザ切り換え時に第２記憶部２８の内容で、第１記憶部２７の該当ユーザのデータを更新するものとする。
【００８３】
さらに、図８には、個別通信制御手段３０を有し、１つの携帯電話機１に複数の電話番号およびメールアドレスの設定が可能な場合における着信の処理フローの一例を示す。
【００８４】
無線部２９を介して着信があると（ステップＳ３１）、ユーザ切り換え手段２４は第２記憶部２８に展開されている設定データ４１から電話番号を検索し（ステップＳ３２）、設定データ４１の電話番号と着信した電話番号とを照合する（ステップＳ３３）。電話番号が一致した場合、例えば現在選択中のユーザがＡＡＡで、着信がＡＡＡ宛の電話番号の場合、第２記憶部２８に展開中の設定データ４１、個別データ４０により着信通知を行う。例えば発信者の電話番号を第２記憶部２８にある電話帳データから検索して主表示部８に発信者を表示し、また設定データに設定されている着信音をスピーカから鳴動、設定されたＬＥＤの発光等を行う（ステップＳ３４）。その後ユーザＡＡＡのオフフック操作により通話を可能状態とする（ステップＳ３５）。
【００８５】
一方、着信が他のユーザＢＢＢ宛の場合には、ステップＳ３３において電話番号が不一致となる。この場合ユーザ切り換え手段２４は、第１記憶部２７に保持される非展開データの中から、他のユーザの設定データ４１を着信の電話番号をキーに検索する（ステップＳ３６）。第１記憶部２７中の設定データ４１で電話番号が一致した場合には（ステップＳ３７）、ユーザ切り換え手段２４は当該設定データ４１を取得し（ステップＳ３８）、その着信通知データに基づき着信音、ＬＥＤ等を制御して着信通知を行う（ステップＳ３９）。これにより、ユーザＡＡＡが選択中であっても、ユーザＢＢＢへの着信が判別する。
【００８６】
また、この場合、通話開始前に（例えばオフフック操作をした場合に）認証手段２５は主表示部８に認証画面を表示するなどし（ステップＳ４０）、ユーザ登録時の暗証番号の入力をユーザに促す（ステップＳ４１）。そして認証手段２５は、入力された暗証番号と、着信電話番号から取得したユーザ管理番号との認証を行い（ステップＳ４２）、認証された場合に通話可能とする（ステップＳ４３）。認証ができない場合は暗証番号入力画面を再度表示する（ステップＳ４０）。このように認証処理を行うことで他のユーザに無断で通話される事を防ぐことができる。
【００８７】
また、ステップＳ３７において第１記憶部２７の非展開データにも着信電話番号がない場合は、着信処理を終了する。
【図面の簡単な説明】
【００８８】
【図１】本発明の実施の形態である携帯電話機の（Ａ）開いた状態、（Ｂ）閉じた状態の外観図である。
【図２】本発明の実施の形態である携帯電話機の電気的構成を表すブロック図である。
【図３】本発明の実施の形態である記憶部の概要図である。
【図４】本発明の実施の形態である（Ａ）ユーザ管理テーブル、（Ｂ）個別データ、（Ｃ）設定データの構造を示す図である。
【図５】本発明の実施の形態のユーザ登録処理を説明するフローチャート図である。
【図６】本発明の実施の形態のユーザ設定処理を説明するフローチャート図である。
【図７】本発明の実施の形態のユーザ切り換え処理を説明するフローチャート図である。
【図８】本発明の実施の形態の電話着信処理を説明するフローチャート図である。
【符号の説明】
【００８９】
１    携帯電話機
２    スピーカ
３    マイク
４    副表示部
５    撮像部
６    背面キー
７    キー操作部
８    主表示部
９    アンテナ
１０  ＬＥＤ
２１  制御部
２２  ユーザ管理手段
２３  ユーザ設定手段
２４  ユーザ切り換え手段
２５  認証手段
２６  記憶部
２７  第１記憶部
２８  第２記憶部
２９  無線部
３０  個別通信手段
３１  表示ドライバ
３２  音声制御部
３３  バイブレータ
３４  ユーザ管理テーブル
３５  選択ユーザデータ
４０  個別データ
４１  設定データ
【図１】
2005252610.tif 000003
【図２】
2005252610.tif 000004
【図３】
2005252610.tif 000005
【図４】
2005252610.tif 000006
【図５】
2005252610.tif 000007
【図６】
2005252610.tif 000008
【図７】
2005252610.tif 000009
【図８】
2005252610.tif 000010